(57)【特許請求の範囲】
【請求項１】
隣接する扉体構成桟間にそれぞれ個別伸縮機構を介設することによって該隣接する扉体構成桟を個別伸縮自在とするとともに該隣接する扉体構成桟の個別伸縮を開閉方向所定位置において開閉方向に向けてそれぞれ順次に行なうように規制する伸縮位置規制手段を備え，該伸縮位置規制手段を，各扉体構成桟の長手方向端部に設置した前後一方に突設する開閉案内用ガイドローラーと，該開閉案内用ガイドローラーと同軸に回動自在に軸支することによって上記隣接する扉体構成桟の長手方向端部間に外側に向けて屈曲自在に介設し且つその長手方向中央の屈曲部分に上記開閉案内用ガイドローラーと前後交互となるように前後他方に突設した屈曲案内用ガイドローラーを有する一対のリンクバーよりなる屈伸リンクと，開閉方向全長に亘るように設置して開閉方向先端から所定位置までの間において上記開閉案内用ガイドローラーを直進案内する前後一方の開閉ガイド並びに該開閉ガイドに対向して平行に配置した第１直進案内部，その先端から外側に向けて傾斜配置した傾斜案内部及びその先端から上記開閉ガイドに離隔して平行に配置した第２直進案内部を備えたリンクガイドとを有するガイドレールとによって構成し，上記第１直進案内部において上記屈伸案内用ガイドローラーを案内することによって上記屈伸リンクを伸長拘束して扉体構成桟を進行させ，上記傾斜案内部及び第２直進案内部において上記屈伸案内用ガイドローラーを案内することによって上記屈伸リンクの拘束を解除し該屈伸リンクを屈曲して扉体構成桟を折畳自在としてなる伸縮扉体において，上記屈伸リンクにおける一対のうち開方向に先行側一方のリンクバーの長さを，上記傾斜案内部及び第２直進案内部の屈曲部分と扉体構成桟の長手方向端部の間隔に応じた長さとし，上記屈曲案内用ガイドローラーが屈曲部分に位置することによって扉体構成桟を突っ張り状に保持可能とするとともに開方向に後続側他方のリンクバーの長さを上記先行側一方のリンクバーより短い長さとして，該屈伸リンクの一対のリンクバーを異長としてなることを特長とする伸縮扉体。
【請求項２】
上記開閉案内用ガイドローラー及び上記屈伸リンクを隣接する扉体構成桟の長手方向両端部に備えるとともに上記ガイドレールを伸縮扉体の両端部に一対備えることによって，上記伸縮位置規制手段を伸縮扉体の両側に備えてなることを特徴とする請求項１に記載の伸縮扉体。
【発明の詳細な説明】
【０００１】
【発明の属する技術分野】
本発明は，シャッター等，開口部に設置使用するようにした伸縮扉体に関する。
【０００２】
【先行技術】
この種伸縮扉体として，本発明者は特願平１１−１５８２５０号を提案済であり，これによれば，隣接する扉体構成桟間にそれぞれ個別伸縮機構を介設することによって該隣接する扉体構成桟を個別伸縮自在とするとともに該隣接する扉体構成桟の個別伸縮を開閉方向所定位置において開閉方向に向けてそれぞれ順次に行なうように規制する伸縮位置規制手段を備え，該伸縮位置規制手段を，各扉体構成桟の長手方向端部に設置した前後一方に突設する開閉案内用ガイドローラーと，該開閉案内用ガイドローラーと同軸に回動自在に軸支することによって上記隣接する扉体構成桟の長手方向端部間に外側に向けて屈曲自在に介設し且つその長手方向中央の屈曲部分に上記開閉案内用ガイドローラーと前後交互となるように前後他方に突設した屈曲案内用ガイドローラーを有する一対のリンクバーよりなる屈伸リンクと，伸縮扉体の開閉方向全長に亘るように設置して開閉方向先端から所定位置までの間において上記開閉案内用ガイドローラーを直進案内する前後一方の開閉ガイド並びに該開閉ガイドに対向して平行に配置した第１直進案内部，その先端から外側に向けて傾斜配置した傾斜案内部及びその先端から上記開閉ガイドに離隔して平行に配置した第２直進案内部を備えたリンクガイドとを有するガイドレールとによって構成し，上記第１直進案内部において上記屈伸案内用ガイドローラーを案内することによって上記屈伸リンクを伸長拘束して扉体構成桟を進行させ，上記傾斜案内部及び第２直進案内部において上記屈伸案内用ガイドローラーを案内することによって上記屈伸リンクの拘束を解除し該屈伸リンクを屈曲して扉体構成桟を折畳み自在としたものとされ，このとき上記屈伸リンクにおける一対のリンクバーは，例えばその長さを同長としたものとされる。
【０００３】
【発明が解決しようとする課題】
この場合，伸縮扉体は，その扉体構成桟が個別に伸縮する仕切単位を構成し，該仕切単位はその伸張状態で開閉方向に移動し，伸縮位置規制手段が所定位置，即ち例えば縦方向に開閉するものにあっては開口上方位置，横方向に開閉するものにあっては開口側方位置で順次縮小するものとなって，伸縮扉体の開閉に際して人が手を挟まれたりする可能性を可及的に防止して，安全性を確保することが可能になり，例えばシースルーの縦引，横引のシャッター等の伸縮扉体を提供することができる。
【０００４】
しかしこの場合，伸縮扉体の開成に際しては，仕切単位のスムーズな縮小とこれによる伸縮扉体のスムーズな開成がなされるが，伸縮扉体の閉成に際して，仕切単位のスムーズな伸張が必ずしも常に確保されず，場合によって伸縮扉体のスムーズな閉成が損われる傾向を招く可能性があり，この点の改良が望まれる。
【０００５】
本発明はかかる事情に鑑みてなされたもので，その解決課題とするところは，上記伸縮位置規制手段を備えた伸縮扉体を改良して，その開成と閉成との双方を常にスムーズになし得るようにした伸縮扉体を提供するにある。
【０００６】
【課題を解決するための手段】
上記伸縮位置規制手段を備えた伸縮扉体の開成，特に閉成時にスムーズさを常に確保し得ない原因を追求したところ，その屈伸リンクにおける一対のリンクバーの長さを，例えば同長のものとしたことによって，上記屈曲案内用ガイドローラーが傾斜案内部と第２直進案内部との間の屈曲部分に位置した際に，隣接する扉体構成桟における各屈曲リンクの隣接側のリンクバー同士が扉体構成桟の長手方向端部を頂点とする二等辺三角形の二等辺をなすように位置することにより，上記屈曲部分に位置したガイドローラーを有する上記二等辺のうち閉方向側のリンクバー（屈曲リンクの一対のリンクバーにおいては開方向に後続側他方のリンクバー，例えば縦方向に開閉するものにあっては屈曲リンクの上位側のリンクバー）が，上記屈曲部分と扉体構成桟の端部間で引っ掛かり状になって，該扉体構成桟の移動が妨げられ，屈曲部分における伸縮構成桟のスムーズな通過とこれによる伸縮扉体のスムーズな閉成が阻害され易くなるためであると考えれる。
【０００７】
そこで本発明は，上記各屈曲リンクにおける隣接側のリンクバー同士が上記二等辺三角形の二等辺の位置関係をなすことなく，上記閉方向側に後続のリンクバー，即ち開方向に先行側一方のリンクバー（上記縦方向に開閉するものにあっては屈曲リンクの下位側のリンクバー）を長寸に，閉方向に先行側のリンクバー，即ち開方向に後続側他方のリンクバー（上記縦方向に開閉するものにあっては屈曲リンクの上位側のリンクバー）を短寸にすることによって不等辺の位置関係とするとともに上記開方向に先行側一方のリンクバーの長さを，リンクガイドにおける傾斜案内部及び第２直進案内部の屈曲部分から扉体構成桟の長手方向端部への間隔長さに応じた長さとして，屈曲リンクの長手方向中央の屈曲部分に突設した屈曲案内用ガイドローラーが該屈曲部分に位置することによって扉体構成桟を突っ張り状に保持可能とするとともに上記短寸の開方向に後続側他方のリンクバーの引っ掛かりを解消し，その屈曲部分の通過を促進し，該短寸のリンクバーの通過後にこれに引かれるように長寸の開方向に先行側一方のリンクバーにおける扉体構成桟の端部の移動変位に応じて，該長寸側のリンクバーが同じく屈曲部分をスムーズに通過するようにし，これを繰り返すことによって，伸縮扉体の開閉，特に閉成をスムーズになし得るようにしたものであって，請求項１に記載の発明を，隣接する扉体構成桟間にそれぞれ個別伸縮機構を介設することによって該隣接する扉体構成桟を個別伸縮自在とするとともに該隣接する扉体構成桟の個別伸縮を開閉方向所定位置において開閉方向に向けてそれぞれ順次に行なうように規制する伸縮位置規制手段を備え，該伸縮位置規制手段を，各扉体構成桟の長手方向端部に設置した前後一方に突設する開閉案内用ガイドローラーと，該開閉案内用ガイドローラーと同軸に回動自在に軸支することによって上記隣接する扉体構成桟の長手方向端部間に外側に向けて屈曲自在に介設し且つその長手方向中央の屈曲部分に上記開閉案内用ガイドローラーと前後交互となるように前後他方に突設した屈曲案内用ガイドローラーを有する一対のリンクバーよりなる屈伸リンクと，伸縮扉体の開閉方向全長に亘るように設置して開閉方向先端から所定位置までの間において上記開閉案内用ガイドローラーを直進案内する前後一方の開閉ガイド並びに該開閉ガイドに対向して平行に配置した第１直進案内部，その先端から外側に向けて傾斜配置した傾斜案内部及びその先端から上記開閉ガイドに離隔して平行に配置した第２直進案内部を備えたリンクガイドとを有するガイドレールとによって構成し，上記第１直進案内部において上記屈伸案内用ガイドローラーを案内することによって上記屈伸リンクを伸長拘束して扉体構成桟を進行させ，上記傾斜案内部及び第２直進案内部において上記屈伸案内用ガイドローラーを案内することによって上記屈伸リンクの拘束を解除し該屈伸リンクを屈曲して扉体構成桟を折畳自在としてなる伸縮扉体において，上記屈伸リンクにおける一対のうち開方向に先行側一方のリンクバーの長さを，上記傾斜案内部及び第２直進案内部の屈曲部分と扉体構成桟の長手方向端部の間隔に応じた長さとし，上記屈曲案内用ガイドローラーが屈曲部分に位置することによって扉体構成桟を突っ張り状に保持可能とするとともに開方向に後続側他方のリンクバーの長さを上記先行側一方のリンクバーより短い長さとして，該屈伸リンクの一対のリンクバーを異長としてなることを特長とする伸縮扉体としたものである。
【０００８】
請求項２に記載の発明は，上記に加えて，扉体構成桟が捻れたりすることなく，ガイドレール間の定位置の開閉を可能とし，伸縮扉体の更に安定してスムーズな開閉を確実になし得るものとするように，これを上記開閉案内用ガイドローラー及び上記屈伸リンクを隣接する扉体構成桟の長手方向両端部に備えるとともに上記ガイドレールを伸縮扉体の両端部に一対備えることによって，上記伸縮位置規制手段を伸縮扉体の両側に備えてなることを特徴とする請求項１に記載の伸縮扉体としたものである。
【０００９】
本発明は，これらをそれぞれ発明の要旨として上記課題解決の手段としたものである。
【００１０】
なお上記開方向に先行側一方のリンクバー，開方向に後続側他方のリンクバーは，上記括弧記載にように，伸縮扉体を縦方向に開閉する，例えば縦引シャッターとしたとき，前者を上位のリンクバー，後者を下位のリンクバーということができ，また伸縮扉体を横方向に開閉する，例えば横引シャッターとしたとき，前者を戸先側のリンクバー，後者を吊元側のリンクバーということができる。
【００１１】
【発明の実施の形態】
以下図面の例に従って本発明を更に具体的に説明すれば，Ａは伸縮扉体であり，該伸縮扉体Ａは，隣接する扉体構成桟１間にそれぞれ個別伸縮機構２を介設することによって該隣接する扉体構成桟１を個別伸縮自在とするとともに該隣接する扉体構成桟１の個別伸縮を開閉方向所定位置において開閉方向に向けてそれぞれ順次に行なうように規制する伸縮位置規制手段３を備えたものとしてある。
【００１２】
即ち本例の伸縮扉体Ａは，例えばアルミ製にして開口部から上端の収納部６に縮小折畳して収納するようにした縦引き用に構成したシースルーにして上下方向（縦方向）の伸縮開閉を行なう縦引きのシャッターとしてあり，多数の扉体構成桟１を開閉方向に平行に配置する一方，隣接する扉体構成桟１間にそれぞれ上記個別伸縮機構２を介設して，該隣接する扉体構成桟１毎にそれぞれ個別の伸縮を可能としてある。
【００１３】
本例において上記多数の扉体構成桟１は，それぞれ前後に平行一対の桟を用いその長手方向両端部をそれぞれ，例えば倒Ｔ字状の連結部材１１によって連結した横長のフレームをなすように形成してあり，個別伸縮機構２は，これらフレームによる扉体構成桟１を開閉方向に連結したものとしてあり，本例において個別伸縮機構２は，これを，隣接する扉体構成桟１にそれぞれ一端を回動自在に固定し，他端をスライド自在に係合することによって隣接する上記扉体構成桟１において伸縮したり起倒したりするように配設した，例えば直線，曲線等の組合せによって装飾要素をなす，例えばＸ字状リンクや単一バーによるバーリンク等によるものとしてあり，該個別伸縮機構２を隣接する扉体構成桟１の長手方向に複数乃至多数配置して，隣接する扉体構成桟１の個別伸縮を安定して行なうように構成してある。
【００１４】
このとき上記個別伸縮機構２は，上記Ｘ字状リンクのものはリンクバーの各一端を隣接する扉体構成桟１にそれぞれ回動自在に軸支固定し，各他端を隣接する扉体構成桟１のスライド溝にローラーを介してそれぞれスライド自在に係合し，必要に応じて交点において回動自在に軸支したものとしてあり，またバーリンクのものは，一端を一方の扉体構成桟１に回動自在に軸支固定し，他端を他方の扉体構成桟１のスライド溝に同様にローラーを介してスライド自在に係合したものとしてある。
【００１５】
伸縮位置規制手段３は，これを，各扉体構成桟１の長手方向端部に設置した前後一方に突設する開閉案内用ガイドローラー３１と，該開閉案内用ガイドローラー３１と同軸に回動自在に軸支することによって上記隣接する扉体構成桟１の長手方向端部間に外側に向けて屈曲自在に介設し且つその長手方向中央の屈曲部分に上記開閉案内用ガイドローラー３１と前後交互となるように前後他方に突設した屈曲案内用ガイドローラー３４を有する一対のリンクバー３３よりなる屈伸リンク３２と，開閉方向全長に亘るように設置して開閉方向先端から所定位置までの間において上記開閉案内用ガイドローラー３１を直進案内する前後一方の開閉ガイド５１並びに該開閉ガイド５１に対向して平行に配置した第１直進案内部５３，その先端から外側に向けて傾斜配置した傾斜案内部５４及びその先端から上記開閉ガイド５１に離隔して平行に配置した第２直進案内部５５を備えたリンクガイド５２とを有するガイドレール５とを備えて構成し，上記第１直進案内部５３において上記屈伸案内用ガイドローラー３４を案内することによって上記屈伸リンク３２を伸長拘束して扉体構成桟１を進行させ，上記傾斜案内部５４及び第２直進案内部５５において上記屈伸案内用ガイドローラー３４を案内することによって上記屈伸リンク３２の拘束を解除し該屈伸リンク３２を屈曲して扉体構成桟１を折畳自在としたものとしてある。
【００１６】
本例にあって開閉案内用ガイドローラー３１は，上記フレームによる扉体構成桟１の長手方向両端部を連結した連結軸１１をガイドレール５側に突出して，該連結軸１１の幅方向中間位置にそれぞれ回動自在に軸支固定してある。
【００１７】
屈伸リンク３２は，直列に伸長した状態とすることによって隣接する扉体構成桟１の間隔と一致する長さとなるように一対にして後述のように異長としたリンクバー３３を用い，該リンクバー３３の扉体構成桟１側の端部を，上記開閉案内用ガイドローラー３１を軸支した連結軸１１に対してその先端側において同軸に回動自在に軸支する一方，該リンクバー３３の他方の端部を相互に回動自在に軸支するとともに該軸支部分に，上記開閉案内用ガイドローラー３１と前後交互となるように屈伸案内用ガイドローラー３４を回動自在に軸支固定し，上記隣接する扉体構成桟１の長手方向両端部間にそれぞれ介設して，それぞれ前後方向に向けて屈曲自在としてある。
【００１８】
ガイドレール５は，その内側にして前後の対向面に開閉ガイド５１とリンクガイド５２とを備えて，それぞれ上記前後に交互の開閉案内用ガイドローラー３１と屈伸案内用ガイドローラー３４を個別に案内するものとしてあり，このとき上記開閉ガイド５１は，ガイドレール５の前後後方の内側にその全長に亘って断面Ｃ字状をなすように設置して上記開閉案内用ガイドローラー３１を案内して，伸縮扉体Ａの開閉進行を行なうようにする一方，リンクガイド５２は，例えばガイドレール５の内側にして前後前方の内側に，上記開閉ガイド５１と同長となるように，該開閉ガイド５１と幅方向に変位した位置に同じく断面Ｃ字状をなすように設置して上記屈伸案内用ガイドローラー３４を案内して，上記開閉ガイド５１によって案内される開閉案内用ガイドローラー３４と相俟って屈伸リンク３２を直進の伸長状態に拘束し又この拘束を解除することによって，伸縮扉体Ａの伸縮規制を行なうものとしてあり，このとき該リンクガイド５２は，開口方向先端から所定位置，即ち本例にあっては開口面下端位置から収納部６近傍の開口面上端位置までの間において上記開閉ガイド５１の幅方向に背面側にこれと平行な第１直進案内部５３と，該所定位置の開口面上端位置において第１の直進案内部５３の延長線上から傾斜分岐して前後方向，本例にあっては伸縮扉体Ａの前方に向かう傾斜案内部５４と，該傾斜案内部５４から再度上記開閉ガイド５１に平行な収納部６内の第２直進案内部５５とによって，上記傾斜案内部５４を介して第１及び第２直進案内部５３，５５を前後方向に偏位して配置したものとしてある。
【００１９】
このように構成した屈伸リンク３２とガイドレール５を備えてなる伸縮位置規制手段３において，上記屈伸リンク３２は，その一対のうち開方向に先行側一方のリンクバー３３の長さを，上記傾斜案内部５４及び第２直進案内部５５の屈曲部分と扉体構成桟１の長手方向端部の間隔に応じた長さとし，上記屈曲案内用ガイドローラー３４が屈曲部分に位置することによって扉体構成桟１を突っ張り状に保持可能とするとともに開方向に後続側他方のリンクバー３３の長さを上記先行側一方のリンクバー３３より短い長さとして，該屈伸リンク３２の一対のリンクバー３３を異長としてある。
【００２０】
即ち屈伸リンク３２は，その開方向に先行側一方のリンクバー，即ち上位のリンクバー３３を，開方向に後続側他方のリンクバー，即ち下位のリンクバー３３より長く，例えば前者を１０３ｍｍ（屈伸案内用のガイドローラー３４の固定軸孔の芯々で８７ｍｍ），後者を９４ｍｍ（同じく芯々で７８ｍｍ）とする如くに，約１割程度長さを異ならしめて異長とするとともに上記上位のリンクバー３３の長さを上記傾斜案内部５４と第２直進案内部間の屈曲部分から上記扉体構成桟の長手方向端部，本例にあっては上記連結部材１１までの間隔に応じて，これと略等しい長さとしてあり，これによってその屈曲案内用ガイドローラー３４が上記屈曲部分に位置したとき，該屈曲部分と上記扉体構成桟１の長手方向端部間でこれらを相互に突っ張り状として，扉体構成桟１を突っ張り状に保持可能とするようにしてあり，このとき開方向に後続側他方の，本例にあって下位のリンクバー３３の長さを上記１割程度短寸とすることによって，該下位のリンクバー３３は，上記上位のリンクバー３３が突っ張り状態のときに，上記傾斜案内部５４に沿ってこれを移動自在，本例にあっては降下移動自在となるようにしてある。
【００２１】
従って本例の伸縮位置規制手段３による伸縮扉体Ａの開閉においては，上記第１直進案内部５３において上記屈伸案内用ガイドローラー３４を案内することによって上記屈伸リンク３２を伸長拘束し，これによって個別伸縮機構２を伸張状態とするとともにこの状態に拘束し，扉体構成桟１，即ち伸縮扉体Ａを伸張状態で開方向及び閉方向に進行自在とし，上記傾斜案内部５４及び第２直進案内部５５において上記屈伸案内用ガイドローラー３４を案内することによって上記屈伸リンク３２の拘束を解除して該屈伸リンク３２を屈曲し，これによって上記伸張状態を解除し，個別伸縮機構２を収縮可能の状態とし，扉体構成桟１，即ち伸縮扉体Ａを折畳自在とするようにしてある。
【００２２】
このとき上記屈伸リンク３２は，その一対のリンクバー３３の上記上位のリンクバー３３の長さを長くし，上記下位のリンクバー３３の長さを短くして，該一対のリンクバー３３を上記異長としたことによって，屈曲リンク３２における隣接側のリンクバー３３同士が上記二等辺三角形の二等辺の位置関係をなすことがなく，屈曲リンクの屈伸案内用ガイドローラー３４が傾斜案内部と第２直進案内部との間の屈曲部分に位置することによって上記下位の短いリンクバー３３は自ずと扉体構成桟１の降下に伴って該屈曲部分をスムーズに通過可能となるとともに，上位のリンクバー３３が扉体構成桟１を突っ張り状に保持可能とするともに下位のリンクバー３３の引っ掛かりを解消し，該屈曲部分の通過を促進し，該下位のリンクバー３３の通過後にこれに引かれるように上位のリンクバー３３が下向きに変位して，これに伴う扉体構成桟１の端部の下方への移動変位に応じて，該上位のリンクバー３３が同じく屈曲部分を通過し，これを繰り返すことによって，伸縮扉体Ａの開閉，特に閉成をスムーズに行なうようにしたものとしてある。
【００２３】
図中１２は，ガイドレールを開口面と交差方向に屈曲するように，例えば縦引シャッターにおいて側面Ｌ字状に構成することによって，開口面と交差方向に屈曲収納自在とするＬ字収納用の伸縮扉体と共用可能の伸縮扉体Ａを用いたことによって，一対の桟部材を一体化して扉体構成桟１を構成するように上記桟部材をそれぞれ室内側又は室外側において回動自在に連結したヒンジ，６１は，伸縮扉体Ａを収納部６に収納可能とするようにガイドレール５間に架設した図示省略の上枠に伸縮扉体Ａを支持し，定位置までこれを降下させる伸縮リンク，６２は収納部６の背面側を被覆するようにガイドレール５上端部に設置したシャッターケース，７は下端のエンドスラットに一端を固定し，伸縮扉体を吊り持ちすることによってその開閉を容易化する他端を巻取シャフト７１に固定した吊りワイヤー，７２は上記ワイヤー７の方向転換用のプーリーをそれぞれ示す。
【００２４】
図示した例は以上のとおりとしたが，上記縦引きのシャッターに代えて，伸縮扉体を，左右方向（幅方向）に伸縮開閉するようにした横引きのシャッターとすること，このとき上記例の伸縮扉体とガイドレール及びこれらの関係を９０度回転するように向きを倒して，上下にガイドレールを位置し伸縮扉体を上吊りすることによって左右方向に開閉するものとすること，横引きの伸縮扉体とするとき，隣接する扉体構成桟の上端側に屈伸リンクを設置するとともに，上方のガイドレールとの間に伸縮位置規制手段を設置するようにし，下方のガイドレールによって扉体構成桟下端に設置した振れ止めローラーを案内するようにして，上方片側にして扉体構成桟長手方向一方の伸縮位置規制手段によって伸縮扉体の伸縮規制を行なうものとして構成すること，扉体構成桟を上記フレームのものに代えて，単一の桟を用いたものとすること，上記個別伸縮機構を，隣接する扉体構成桟にそれぞれ一端を回動自在に固定し又はスライド自在に係合した複数のリンクバーと，該各リンクバーの他端を回動自在に固定する中間連結部を備えた中間連結部付きＸ字状の伸縮リンクによって構成するようにすること，このとき中間連結部を２分割し，分割部分でヒンジ連結する等することによって，個別伸縮機構を隣接する扉体構成桟間で開口面の交差方向に折曲自在に構成するとともに，上記ガイドレールを開口面から交差方向に向けてＬ字状に形成し，そのリンクガイド部，特に傾斜案内部又は第２の直進案内部を開口面の端部近傍から交差方向に向けて配置することによって，伸縮扉体を開口面の端部近傍で伸縮して交差方向に収納自在とするように構成すること，伸縮扉体を電動開閉するものとすること等を含めて，本発明の実施にあたって，伸縮扉体，扉体構成桟，個別伸縮機構，伸縮位置規制手段，開閉案内用ガイドローラー，屈伸リンク，リンクバー，屈伸案内用ガイドローラー，ガイドレール，開閉ガイド，リンクガイド等の各具体的材質，形状，構造，これらの関係，これらに対する付加等は，上記発明の要旨に反しない限り，様々の形態のものとすることができる。
【００２５】
【発明の効果】
本発明は以上のとおりに構成したから，請求項１に記載の発明は，伸縮位置規制手段を備えた伸縮扉体を改良して，その屈曲リンクにおける隣接側のリンクバー同士が上記二等辺三角形の二等辺の位置関係をなすことなく，上記閉方向側に後続のリンクバーを長寸に，閉方向に先行側のリンクバーを短寸にすることによって不等辺の位置関係とするとともに上記開方向に先行側一方のリンクバーの長さを，リンクガイドにおける傾斜案内部及び第２直進案内部の屈曲部分から扉体構成桟の長手方向端部への間隔長さに応じた長さとして，屈曲リンクの長手方向中央の屈曲部分に突設した屈曲案内用ガイドローラーが該屈曲部分に位置することによって扉体構成桟を突っ張り状に保持可能とし，上記短寸の開方向に後続側他方のリンクバーの引っ掛かりを解消し，その屈曲部分の通過を促進し，該短寸のリンクバーの通過後にこれに引かれるように長寸の開方向に先行側一方のリンクバーにおける扉体構成桟の端部の移動変位に応じて，該長寸側のリンクバーが同じく屈曲部分を通過し，これを繰り返すことによって，その開成と閉成との双方を常にスムーズになし得るようにした伸縮扉体を提供することができる。
【００２６】
請求項２に記載の発明は，上記に加えて，扉体構成桟が捻れたりすることなく，ガイドレール間の定位置の開閉を可能とし，伸縮扉体の更に安定してスムーズな開閉を確実になし得るものとすることができる。
【図面の簡単な説明】
【図１】伸縮扉体の正面図である。
【図２】伸縮扉体の縦断面図である。
【図３】伸縮扉体の折畳状態を示す部分縦断面図である。
【図４】屈伸リンクとリンクガイドとの関係を示す拡大縦断面図である。
【図５】伸縮扉体の収縮状態を示す部分横断面図である。
【符号の説明】
Ａ  伸縮扉体
１  扉体構成桟
２  個別伸縮機構
３  伸縮位置規制手段
３１  開閉案内用ガイドローラ
３２  屈伸リンク
３３  リンクバー
３４  屈伸案内用ガイドローラ
５  ガイドレール
５１  開閉ガイド
５２  リンクガイド
５３  第１直進案内部
５４  傾斜案内部
５５  第２直進案内部
【図１】
0004413401.tif 000002
【図２】
0004413401.tif 000003
【図３】
0004413401.tif 000004
【図４】
0004413401.tif 000005
【図５】
0004413401.tif 000006